(57)【特許請求の範囲】
【請求項１】
物質除去器具であって、
カニューレであって、
カニューレボア、及び
前記カニューレの遠位端におけるカニューレ開口であって、前記カニューレボアへのアクセスを提供する、カニューレ開口を含む、カニューレと、
少なくとも部分的に前記カニューレ内に配置される回転機構であって、
細長いシャフトであって、前記回転機構の中心軸に沿った中央ボアと、前記中心軸に沿った前記細長いシャフトの遠位端におけるシャフト開口であって、前記シャフト開口と前記中央ボアとの間の流体連通を提供する、シャフト開口と、を有する、細長いシャフト、
前記細長いシャフトの一部分から延在する突起、
物質を標的領域から変位させるためのブレードであって、前記ブレードは前記細長いシャフトの前記遠位端および前記細長いシャフトの前記遠位端に隣接する外周に連結されかつそこから延在しており、前記ブレードは前記細長いシャフトの前記遠位端に隣接する前記外周から前記シャフト開口の径方向に延在しており、前記ブレードの少なくとも一部分が、前記シャフト開口の遠位に延在しかつ前記カニューレ開口から延在しており、前記ブレードが前記細長いシャフトに連結されている際に、流体が前記シャフト開口を通過することができる、ブレードを含む、回転機構と、を備え、
前記回転機構が、前記ブレードに前記標的領域から物質を変位させるように、前記カニューレ内で回転可能であり、
前記変位した物質が、前記カニューレボアを通じて前記標的領域から引き出される、物質除去器具。
【請求項２】
前記カニューレ開口が、前記カニューレの端壁上に位置される、請求項１に記載の物質除去器具。
【請求項３】
前記突起が、前記細長いシャフトの周囲に延在する螺旋状の表面を形成する、請求項１に記載の物質除去器具。
【請求項４】
前記回転機構の前記中央ボアが、潅注源に動作的に結合される、請求項１に記載の物質除去器具。
【請求項５】
前記回転機構の前記中央ボアが、ガイドワイヤを受容するようにサイズ決定及び構成される、請求項１に記載の物質除去器具。
【請求項６】
前記回転機構の近位端が、回転エネルギー源に動作的に結合される、請求項１に記載の物質除去器具。
【請求項７】
前記ブレードの一部分が、前記細長いシャフトの縦軸の周囲に延在する螺旋状の表面を形成する表面を含む、請求項１に記載の物質除去器具。
【請求項８】
回転した前記ブレードの直径によって画定される高さが、回転の間、略一定である、請求項１に記載の物質除去器具。
【発明の詳細な説明】
【技術分野】
【０００１】
本発明は、概して、診断及び治療目的で、内部身体領域、特に、椎間板及び椎骨において、空洞を形成するためのツール及び手順に関する。
【背景技術】
【０００２】
円板物質の処置及び除去のためのある診断及び治療手順は、椎間板を含む内部身体領域における空洞へのアクセス及び／又は空洞の形成を必要とする。椎間板は、弾性の軟組織物質（線維輪）の厚い外環、及び内部のゲル様の物質（髄核）を含む。健康な円板物質は、脊椎の可撓性を維持することに役立ち、脊椎にわたる負荷を消散する衝撃吸収材として作用する。円板物質の状態が、例えば、変性円板疾患、ヘルニア、及び／又は損傷の結果として悪化する時、患者は、脊椎の罹患領域の正常な整合又は湾曲の変形、並びに、慢性合併症、及び生活の質への全体的な悪影響に見舞われ得る。
【０００３】
最近まで、医師は、かかる悪化及び関連する変形を、鎮痛薬、床上安静、ブレーシング、又は低侵襲脊椎手術で処置することに限定されていた。問題となる円板物質の外科的除去を完了して（例えば、椎間板切除）、円板空間への処置要素（例えば、骨グラフト、充填材等）、及び／又は金属ネジ／ロッドを使用した隣接する椎体の融合を提供することができる。椎間板での空洞の除去及び／又は創出のための標準的な外科器具としては、のみ、円板カッタ、やすり、下垂体鉗子、擦過器、キュレット、コブエレベータ、寸法測定器、根管針等が挙げられる。円板にアクセスするための外科的手順は、患者の生体構造及び／又は円板／椎骨状態に依存し得る。
【発明の概要】
【発明が解決しようとする課題】
【０００４】
円板物質を除去するためのほとんどのシステムの共通の欠点は、それらが、空洞を創出するために必要とされる多くのツールに適応するように、著しい切開及び筋収縮を必要とし、患者にとってより長い回復時間につながることである。したがって、最小侵襲の円板組織分離及び除去のための安全かつ効果的な装置及び方法を提供する、当該技術分野における必要性が依然として存在する。
【課題を解決するための手段】
【０００５】
本発明は、身体において空洞、特に、椎間板物質及び海綿骨において空洞を創出するためのツール及び方法を対象とする。本開示の態様は、物質除去器具を対象とする。物質除去器具は、カニューレと、回転機構とを含むことができる。カニューレは、カニューレボアと、カニューレの遠位端におけるカニューレ開口とを含むことができ、カニューレ開口は、カニューレボアへのアクセスを提供することができる。カニューレの全て又は一部分は、剛性又は可撓性物質から構築することができる。可撓性は、カニューレの物質特性、構造的特性及び／又はカニューレへの修正、及び／又は物質除去器具の別の部分との連結に基づいて達成され得る。回転機構は、少なくとも部分的にカニューレ内に配置することができる。回転機構は、中央ボア、及び中央ボアへのアクセスを提供する、細長いシャフトの遠位端における開口を有する、細長いシャフトを含むことができる。細長いシャフトの中央ボアは、切断領域に潅注を提供するために使用することができる。細長いシャフトの中央ボアは、ガイドワイヤを受容して、回転機構の配置を方向付けるようにサイズ決定及び構成することができる。細長いシャフトを含む、回転機構の全て又は一部分は、剛性又は可撓性物質から構築することができる。可撓性は、回転機構／細長いシャフトの物質特性、構造的特性及び／又は回転機構／細長いシャフトへの修正、及び／又は物質除去器具の別の部分との連結に基づいて達成され得る。カニューレ及び／又は回転機構の可撓性は、標的領域にアクセスする時、及び組織の除去中に、操縦／方向制御を提供するために使用することができる。細長いシャフトもまた、中央ボアを含むことができる。
【０００６】
一態様において、回転機構はまた、細長いシャフトの一部分から延在する突起と、細長いシャフトの他の部分から延在するブレードとを含むことができる。ブレードは、標的領域から物質を変位させるために使用することができる。ブレードの少なくとも一部分は、カニューレ開口から延在することができる。回転機構は、カニューレ内で回転して、ブレードに、標的領域から物質を変位させることができる。変位された物質は、カニューレボアを通じて、標的領域から引き出すことができる。
【０００７】
本開示の別の態様は、カニューレ及び回転機構を含むことができる、物質除去器具を対象とする。カニューレは、カニューレボアと、カニューレの遠位端におけるカニューレ開口とを含むことができる。カニューレ開口は、カニューレボアへのアクセスを提供することができる。回転機構は、少なくとも部分的にカニューレ内に配置することができる。回転機構は、細長いシャフトと、細長いシャフトの一部分から延在するネジ山とを含むことができる。ネジ山は、標的領域から物質を変位させるために使用することができる。ネジ山は、前側及び後側を有するフランクを含むことができる。後側は、回転機構の縦軸に対して９０°未満のフランク角度を有することができる。回転機構の少なくとも一部分は、カニューレ開口から延在することができる。回転機構は、カニューレ内で回転して、ネジ山を、物質に衝突させ、その物質を標的領域から変位させることができる。
【０００８】
本開示の更なる態様は、カニューレ及び回転機構を含むことができる、物質除去器具を対象とする。カニューレは、カニューレボアと、カニューレの遠位端におけるカニューレ開口とを含むことができる。カニューレ開口は、カニューレボアへのアクセスを提供することができる。回転機構は、少なくとも部分的にカニューレ内に配置され、かつ回転可能であり得る。回転機構は、細長いシャフトと、接続要素と、質量要素とを含むことができる。接続要素は、細長いシャフトに固定することができる。質量要素は、標的領域から物質を変位させるために使用することができる。質量要素は、接続要素に固定することができる。回転機構の回転は、接続要素を、回転機構の縦軸から離れた方向に移動させることができる。回転機構の回転はまた、質量要素を、縦軸からある距離において、回転機構の縦軸の周囲で回転させることができる。質量要素の回転は、質量要素を物質に衝突させ、その物質を標的領域から変位させることができる。
【０００９】
本開示の別の態様は、カニューレ及び切断要素を含むことができる、物質除去器具を対象とする。カニューレは、カニューレボアと、カニューレの遠位端におけるカニューレ開口とを含むことができる。カニューレ開口は、カニューレボアへのアクセスを提供することができる。切断要素は、少なくとも部分的にカニューレ内に配置し、内側要素に取設することができる。切断要素は、カニューレの縦軸に沿った方向において、第１の位置から第２の位置までの内側要素の移動後、カニューレ開口から半径方向に拡張することができる。切断要素が拡張位置にある状態でのカニューレの回転は、切断要素を物質に衝突させ、その物質を標的領域から変位させることができる。
【００１０】
本発明の１つ以上の実施形態の詳細が、添付の図面及び以下の説明において記載されている。本発明の他の特性、目的、及び利点は、説明及び図面から、並びに特許請求の範囲から明らかになるであろう。
【図面の簡単な説明】
【００１１】
デバイスは、以下の図面において更により詳細に説明される。図面は、好ましいデバイスの構造、及び単一で、又は他の特性と組み合わせて使用され得るある特性を例解するための例に過ぎない。本発明は、示される例に限定されるべきではない。
【図１Ａ】例示的な物質除去器具の斜視図である。
【図１Ｂ】例示的な物質除去器具の部分的斜視図である。
【図１Ｃ】例示的な物質除去器具の部分的斜視図である。
【図１Ｄ】例示的な物質除去器具の部分的斜視図である。
【図１Ｅ】例示的な物質除去器具の部分的斜視図である。
【図１Ｆ】例示的な物質除去器具の部分的斜視図である。
【図１Ｇ】例示的な物質除去器具の部分的断面図である。
【図１Ｈ】例示的な物質除去器具の部分的斜視図である。
【図２Ａ】例示的なブレードの断面図である。
【図２Ｂ】例示的なブレードの断面図である。
【図３】例示的なブレードの側面図である。
【図４】例示的なブレードブランクの側面図である。
【図５】例示的な円板及び下位椎体の上側図である。
【図６Ａ】例示的な回転機構の側面断面図である。
【図６Ｂ】例示的な回転機構の側面断面図である。
【図６Ｃ】例示的な回転機構の側面断面図である。
【図７Ａ】例示的な回転機構の斜視図である。
【図７Ｂ】例示的な回転機構の斜視図である。
【図８】例示的な回転機構の部分的側面図である。
【図９】例示的な回転機構の部分的側面図である。
【図１０】例示的な回転機構の部分的斜視図である。
【図１１Ａ】例示的な物質除去器具の部分的斜視図である。
【図１１Ｂ】例示的な回転機構の部分的斜視図である。
【図１２Ａ】例示的な回転機構の部分的側面図である。
【図１２Ｂ】例示的な物質除去器具の部分的側面図である。
【図１２Ｃ】例示的な物質除去器具の部分的側面図である。
【図１２Ｄ】例示的な物質除去器具及び椎体の後面図である。
【図１３Ａ】例示的な回転機構の部分的側面図である。
【図１３Ｂ】例示的な回転機構の部分的斜視図である。
【図１３Ｃ】例示的なカニューレの部分的斜視図である。
【図１３Ｄ】例示的なカニューレの部分的側面断面図である。
【図１３Ｅ】例示的なカニューレの部分的上面断面図である。
【図１３Ｆ】例示的な回転機構及びカニューレの部分的斜視図である。
【図１４Ａ】例示的な接続要素及び質量要素の側面図である。
【図１４Ｂ】例示的な物質除去器具の部分的側面図である。
【図１４Ｃ】例示的な物質除去器具の部分的側面図である。
【図１４Ｄ】例示的な物質除去器具の部分的斜視図である。
【図１５Ａ】例示的な接続要素及び質量要素の斜視図である。
【図１５Ｂ】例示的な回転機構の部分的端面図である。
【図１５Ｃ】例示的な回転機構の部分的側面図である。
【図１５Ｄ】例示的な回転機構の部分的斜視図である。
【図１５Ｅ】例示的な回転機構の部分的端面図である。
【図１５Ｆ】例示的な回転機構の部分的斜視図である。
【図１６Ａ】例示的な回転機構の部分的側面図である。
【図１６Ｂ】例示的な回転機構の側面図である。
【図１６Ｃ】例示的な回転機構の側面図である。
【図１７Ａ】例示的な物質除去器具の部分的側面図である。
【図１７Ｂ】例示的な物質除去器具の部分的側面図である。
【図１７Ｃ】例示的な物質除去器具の部分的側面図である。
【図１７Ｄ】例示的な物質除去器具の部分的側面図である。
【図１７Ｅ】例示的な物質除去器具の部分的側面図である。
【図１７Ｆ】例示的な物質除去器具の部分的側面図である。
【図１７Ｇ】例示的な切断要素の部分的上面図である。
【図１８Ａ】例示的な物質除去器具の部分的側面図である。
【図１８Ｂ】例示的な物質除去器具の部分的側面図である。
【図１８Ｃ】例示的な物質除去器具の部分的側面図である。
【図１８Ｄ】例示的な物質除去器具の部分的側面図である。
【００１２】
種々の図面における同様の参照記号は、同様の要素を示す。
【発明を実施するための形態】
【００１３】
以下の説明では、特定の用語は、単に便宜上使用されるに過ぎず、限定ではない。「右」、「左」、「下方」、及び「上方」という後は、参照する図面内での方向を指定する。「内」、「外」という語は、それぞれ、説明される特性又はデバイスの幾何学的中心に向かう、及びそれから離れる方向を指す。「遠位」及び「近位」という語は、説明される項目の文脈において、及び本明細書で説明される器具に対して採られる方向を指し、典型的に、かかる器具を使用する外科医の視点に基づく。「前方」、「後方」、「上位」、「下位」、「内方」、「側方」という語、並びに関連する語及び／又は句は、参照される人体における好ましい位置及び配向を指す。専門用語には、前述で列挙した語、その派生語、及び同様の意味を有する語が含まれる。
【００１４】
加えて、種々の構成要素は、縦方向「Ｌ」及び側方方向「Ａ」に沿って水平に、かつ横断方向「Ｔ」に沿って垂直に延在するとして、本明細書で説明され得る。本明細書において別途指示されない限り、「側方」、「縦」、及び「横断」という用語は、種々の項目の直交する方向成分を説明するために使用される。縦及び側方方向は、水平平面に沿って延在するとして例解される一方、横断方向は、垂直平面に沿って延在するとして例解され、種々の方向を包含する平面は、使用中に異なり得ることが理解されるべきである。したがって、「垂直」及び「水平」という方向の用語は、明確さ及び例解の目的で構成要素を説明するために使用されるに過ぎず、限定を意味しない。
【００１５】
ここで、本発明のある実施例を、図面を参照して説明する。概して、かかる実施形態は、椎間板物質及び海綿骨における空洞のための物質除去器具に関する。
【００１６】
図１Ａ〜１Ｇは、例示的な物質除去器具１００の斜視図を提供する。例示的な物質除去器具１００は、カニューレ１２０と、回転機構１４０とを含むことができる。回転機構１４０は、シャフト１４２を含むことができる。シャフト１４２は、細長い円筒構造を画定することができる。別の実施例（図示せず）において、シャフト１４２は、例えば、楕円形、正方形、長方形、又は任意の他の規則的若しくは不規則的形状を含む、任意の好適な形状を有する断面を伴う、細長い構造を画定することができる。シャフト１４２は、可撓性物質（例えば、ポリマー、ニチノール）又は剛性物質から構築することができる。硬質及び／又は剛性物質から構築される例示的なシャフト１４２は、断面力に関して、全体の可撓性挙動を提供する、構造的修正（例えば、幾何学的切り欠き又は形状）を含むことができる。シャフト１４２の可撓性はまた、切断表面１５２とフランク１５８との間の連結（図示せず）によって達成することができる。
【００１７】
シャフト１４２は、シャフト１４２本体の外側表面から延在するブレード１４６を含むことができる。ブレード１４６は、縦方向にシャフト１４２の長さに沿って、シャフト１４２の外側表面から半径方向に延在することができる。同様に、ブレード１４６は、シャフト１４２の遠位端１４８から延在することができる。例示的なブレード１４６は、約１２ｍｍ〜約１７ｍｍのシャフト１４２の縦軸に沿った長さを有することができる。例示的なブレード１４６は、約０．４ｍｍ〜約２ｍｍの範囲の厚さを有することができる。
【００１８】
ブレード１４６は、ブレード１４６の外周囲に沿った切断表面１５２を含むことができる。切断表面１５２は、椎間板（例えば、核及び／又は輪物質）、及び／又は海綿骨内の標的領域から物質を変位させるために使用することができる。切断表面１５２は、図１Ｅに提供されるように、連続的な縁部を画定する。切断表面１５２はまた、断続的な縁部を画定することができる。例えば、図１Ａ〜１Ｄ、１Ｆ、及び１Ｇに例解されるように、切断表面１５２は、切断表面１５２が標的領域に沿って移動する／それに衝突する際、物質の除去を支援するように、複数の溝１５４を含むことができる。溝１５４は、物質をより小さい断片に分解／切断し、それにより、それらを、標的領域から離れて、及び患者の身体の外へ輸送しやすくすることができる。図２Ａ及び２Ｂは、例示的なブレード１４６の軸方向の断面図を提供する。図２Ａに例解されるように、切断表面１５２は、鋭化した点／縁部において終端する、湾曲した又は丸みを帯びた表面を含むことができる。図２Ｂに例解されるように、切断表面１５２は、鋭化した点／縁部において終端する、角度が付いた又は面取りした表面を含むことができる。
【００１９】
ブレード１４６はまた、回転機構１４０の縦軸の周囲で回転する部分を含むことができる。例えば、図１Ａ〜１Ｄ、１Ｆ、及び１Ｇに例解されるように、ブレード１４６は、シャフト１４２の縦軸の周囲で回転する、螺旋状の表面を形成することができる。ブレード１４６の回転／ねじれの角度は、ブレード１４６が回転する時、内部円板／骨表面へのハンマー効果を防止するように決定することができる。ハンマー効果は、円板／骨物質が、ブレード回転中に変化するブレード１４６によって創出される空洞の高さの結果として衝突される時に生じる。結果として、ブレード１４６の回転／ねじれの角度は、回転したブレード１４６によって画定される幅／高さが略一定であるように決定することができる。
【００２０】
図３は、種々の角度で回転される／ねじられる例示的なブレード１４６の例解図を提供する。行Ａは、０°のブレードねじれを伴う例示的なブレード１４６を提供する。図３の左から右へ、ブレード１４６は、種々の配向で示される。ブレード１４６全体が０°、４５°、及び９０°間で回転する際、ブレード１４６によって画定される高さは、側面から見た時、著しく変化する。例えば、行Ａは、０°のブレードねじれを有する例示的なブレード１４６を提供する。０°の配向において、ブレード１４６は、狭い高さプロファイルを有する。高さプロファイルは、ブレード１４６全体が４５°〜９０°の配向で回転する際、急激に増加する。０°のブレードねじれを伴うブレード１４６は、約７０％変化するブレード高さを有し得ることが推定され得る。ブレード高さのかかる急激な変化は、ブレード１４６の回転中に、反対の円板表面へのハンマー効果を引き起こし得る。
【００２１】
行Ｂは、約９０°のブレードねじれを有する例示的なブレード１４６を提供する。図３の左から右へ、ブレード１４６全体が、０°、４５°、及び９０°間で回転する際、ブレード１４６によって画定される高さは、側面から見た時、約３０％変化し得る。このブレード高さの変化もまた、ブレード１４６の回転中に、反対の円板表面へのハンマー効果を引き起こし得る。
【００２２】
行Ｃは、約１８０°のブレードねじれを有する例示的なブレードを提供する。図３の左から右へ、ブレード１４６全体が、０°、４５°、及び９０°間で回転する際、ブレード１４６によって画定される高さの変化は、側面から見た時、最小（約ヌル）である。結果として、ハンマー効果は、最小である。
【００２３】
したがって、本開示において、例示的なブレード１４６は、約９０°未満のブレードねじれを有することができる。別の例示的なブレード１４６は、少なくとも約９０°のブレードねじれを有することができる。別の例示的なブレード１４６は、少なくとも約１８０°のブレードねじれを有することができる。更なる実施例において、ブレード１４６は、約１８０°超のブレードねじれを有することができる。
【００２４】
ブレード１４６のねじれ前／ブランク形状は、任意の好適な規則的又は不規則的形状を画定することができる。図４は、種々のブランク（ねじれ前）形状（列１）を伴う例示的なブレード１４６の例解図を提供する。例えば、行Ａは、半径方向に湾曲及び延在する凸側縁部を伴う長方形形状を画定するブランクを有する、例示的なブレード１４６を提供する。行Ｂは、正方形の角部及び真っ直ぐな側縁部を伴う長方形形状を画定するブランクを伴う例示的なブレード１４６を提供する。行Ｃは、半径方向に内方に湾曲する凹側縁部を伴う長方形形状を画定するブランクを伴う例示的なブレード１４６を提供する。ブレード１４６のブランク形状はまた、標的領域との切断表面１５２の接触を最大化するように設計することができる。図４は、初期位置におけるねじれたブレード１４６（列２）、及び９０°回転したねじれたブレード１４６（列３）を例解する。列３に例解されるように、９０°回転において標的領域と接触する切断表面１５２の量は、行Ｃに提供されるブレード１４６の設計である、凹側縁部を伴う長方形形状で最大である。
【００２５】
図１Ａ、１Ｂ、１Ｄ、１Ｅ、及び１Ｇに例解されるように、シャフト１４２はまた、シャフト１４２本体の外側表面から延在する突起１５６を含むことができる。突起１５６は、シャフト１４２の周囲に延在する螺旋状の（又は渦巻き状の）表面を形成することができる。突起１５６の高さは、回転機構１４０がカニューレ１２０内で回転可能であるように構成することができる。カニューレ１２０内で回転する時、シャフト１４２／突起１５６は、標的領域から、かつカニューレボア１２２を通じて、変位した物質を移動させるためのコンベヤ（又はネジポンプ）として作用することができる。突起１５６は、複数のフランク１５８を含むことができる。フランク１５８が変位した物質と接触する時、シャフト１４２／フランク１５８の回転は、物質への軸方向における力を生成する。
【００２６】
図８に関して以下でより詳細に説明されるように、突起１５６の種々のフランク１５８間のピッチは、変位した物質を除去する上で異なる効率性を提供するように、及び／又は回転機構１４０への軸方向力を制御することに役立つように、シャフト１４２の長さに沿って変化することができる。ピッチは、物質除去の割合、並びにカニューレ１２０を通って輸送されることが可能な変位した物質の粒径を定義するように調節することができる。例示的な回転機構１４０において、ピッチは、シャフト１４２の長さに沿って均一である。別の実施例において、ピッチは、種々のフランク１５８間で変化する。同様に、シャフト１４２の縦軸に沿った突起１５６の長さは、変位した物質を徐供する上で異なる効率性を提供するように、及び／又は回転機構１４０への軸方向力を制御することに役立つように、調節することができる。例示的な回転機構１４０において、突起１５６は、シャフト１４２の一部分に沿ってシャフト１４２から延在することができる。別の実施例（図示せず）において、突起１５６は、シャフト１４２の全長に沿って延在することができる。
【００２７】
図１Ｈに例解される別の例示的な回転機構１４０は、複数の螺旋状の表面を形成するように、回転機構１４０の縦軸の周囲で回転する複数のブレード１４６を含むことができる。動作中、ブレード１４６は、シャフト１４２の縦軸の周囲で回転する。ブレード１４６は、第１の終端１６４で生じ、第２の終端１６８で終端する。第１及び第２の終端１６４、１６８は、細長いシャフト１４２に動作的に結合させることができる。以下でより詳細に概説されるように、回転機構１４０及び／又はカニューレ１２０は、標的領域における回転機構の方向付け及び配置を支援するように、可撓性又は剛性物質から形成することができる。
【００２８】
シャフト１４２は、中央ボア１６０と、中央ボア１６０へのアクセスを提供する開口１６２とを含むことができる。開口１６２は、図１Ａ〜１Ｈに例解されるように、シャフト１４２の端部に位置することができる。別の実施例（図示せず）において、開口１６２は、シャフト１４２の側方表面上に位置することができる。開口１６２は、例えば、円形、楕円形、正方形、長方形、又は任意の他の規則的若しくは不規則的形状を含む、任意の好適な形状を画定することができる。例示的な回転機構１４０は、複数のボア開口１６２を含むことができる。例えば、ボア開口１６２は、ブレード１４６の各側に提供することができる。ボア１６０は、標的切断領域に潅注を提供するために使用することができるということが企図される。ボア１６０の近位端は、ボア開口１６２において潅注を提供するための潅注源に動作的に結合させることができる。潅注は、回転機構１４０と標的領域との間で生成される熱、及び／又は回転機構１４０とカニューレ１２０との間で生成される熱を消散することができる。潅注はまた、変位した物質（例えば、軟組織、骨、血液、又は他の間質液／物質）が、ブレード１４６、突起１５６、又はカニューレボア１２２の内表面に接着することを防止することができる。潅注はまた、標的領域からカニューレ１２０を通る変位した物質の流れを支援する。ボア１６０は、回転機構１４０の配置を方向付けるように、ガイドワイヤを受容するように、サイズ決定及び構成することができるということが更に企図される。別の実施例（図示せず）において、シャフト１４２は、ボア１６０を含むことなく、中実の構造を含むことができる。
【００２９】
図１Ａ〜１Ｄ及び１Ｆ〜１Ｈに例解されるように、回転機構１４０は、カニューレ１２０内に配置することができる。カニューレ１２０は、回転機構１４０の回転を可能にするようにサイズ決定及び構成される。カニューレ１２０はまた、カニューレボア１２２及び／又は回転機構１４０を通過する変位した物質に対して、トルク伝達要素として機能することができる。例示的な回転機構１４０において、カニューレ１２０の回転移動は、固定することができる。別の実施例において、カニューレ１２０は、回転機構１４０の同じ又は反対の方向において回転することができる。カニューレ１２０は、細長い円筒構造を画定することができる。カニューレ１２０は、可撓性物質（例えば、ポリマー、ニチノール）又は剛性物質から構築することができる。硬質及び／又は剛性物質から構築される例示的なカニューレ１２０は、断面力に関して、全体の可撓性挙動を提供する、構造的修正（例えば、幾何学的切り欠き又は形状）を含むことができる。
【００３０】
例示的なカニューレ１２０は、約３ｍｍ〜約６ｍｍの範囲の外径を有することができる。別の実施例において、カニューレ１２０は、約５ｍｍ〜約６ｍｍの範囲の外径を有することができる。更なる実施例において、カニューレ１２０は、約５．５ｍｍの外径を有することができる。カニューレ１２０は、回転機構１４０に適応するようにサイズ決定及び構成される中央ボア１２２を含むことができる。中央ボア１２２の内径は、約２ｍｍ〜約５ｍｍの範囲であり得る。カニューレ１２０はまた、中央ボア１２２へのアクセスを提供する開口１２４を含むことができる。開口１２４は、物質除去器具１００が患者内に位置する時、ブレード１４６の少なくとも一部分に、標的領域へのアクセスが提供されるように、回転機構１４０上に位置することができる。開口１２４は、図１Ａ〜Ｄ及び１Ｆ〜１Ｈに例解されるように、カニューレ１２０の端部に位置することができる。この実施例において、ブレード１４６の少なくとも一部分を含む回転機構１４０は、カニューレ開口１２４から延在することができる。別の実施例（図示せず）において、開口１２４は、カニューレ１２０の側方表面上に位置することができる。この実施例において、カニューレ開口１２４は、ブレード１４６の少なくとも一部分を含む、回転機構１４０の少なくとも一部分が、カニューレ開口１２４から延在するように、サイズ決定及び位置することができる。開口１２４は、例えば、円形、楕円形、正方形、長方形、又は任意の他の規則的若しくは不規則的形状を含む、任意の好適な形状を画定することができる。
【００３１】
使用中、物質除去器具１００は、隣接する椎骨間及び／又は椎骨間の中で骨物質及び／又は円板物質を除去することができる。円板物質の除去（例えば、椎間板切除）のために使用される時、円板アクセスは、後方及び／又は後側方経皮、エクストラペディキュラ手法を介して、得ることができる。ガイドワイヤが使用される場合、それは円板の中へ挿入することができる。図５に提供されるように、導入カニューレ１０２は、ガイドワイヤ上でスライドさせ、円板空間の中へ導入することができる。例示的な導入カニューレ１０２は、約３ｍｍ〜約７ｍｍの外径を有することができる。次いで、カニューレ１２０及び回転機構１４０は、導入カニューレ１０２を介して、円板空間の中へ提供することができる。物質除去器具１００（カニューレ１２０及び回転機構１４０）は、カニューレ開口１２４が円板内の標的領域に近接するように、位置することができる。一度標的領域に位置すると、回転機構１４０は、カニューレ１２０内で回転することができ、ブレード１４６を標的領域において円板物質に接触及びそれを変位させ、それにより、例えば、円板空間内に空洞を創出する。例示的な物質除去器具１００において、回転機構１４０の近位端１５０は、回転エネルギー源に動作的に結合させることができる。
【００３２】
変位した物質は、カニューレ開口１２４の中へ、かつカニューレボア１２２を通って、引き出すことができる。上で概説されるように、回転機構１４０の回転は、補助的吸入／吸引の使用を伴わずに、カニューレ開口１２４の中へ、かつカニューレボア１２２を通って、変位した組織を付勢する、ポンプ作用を創出することができる。別の実施例において、カニューレボア１２２の近位端は、標的領域及び／又はカニューレボア１２２からの変位した物質の除去を支援するように、吸引デバイスに動作的に結合させることができる。
【００３３】
物質除去器具１００は、空洞から抜去することができ、処置要素は、円板空間に提供することができる。処置要素は、例えば、カイフォプラスティのために使用されるもの等の充填材及び／又は可膨張体を含むことができる。充填材は、例えば、骨セメント、骨チップ、脱灰骨、及び／又はインプラントを含むことができる。
【００３４】
図６Ａ〜６Ｃは、別の例示的な物質除去器具２００の側面断面図を提供する。例示的な物質除去器具２００は、カニューレ２２０と、回転機構２４０とを含むことができる。回転機構２４０は、シャフト２４２を含むことができる。シャフト２４２は、細長い円筒構造を画定することができる。別の実施例（図示せず）において、シャフト２４２は、例えば、楕円形、正方形、長方形、又は任意の他の規則的若しくは不規則的形状を含む、任意の好適な形状を有する断面を伴う、細長い構造を画定することができる。シャフト１４２に関して上で概説されるように、シャフト２４２は、可撓性物質（例えば、ポリマー、ニチノール）又は剛性物質から構築することができる。硬質及び／又は剛性物質から構築される例示的なシャフト２４２は、断面力に関して、全体の可撓性挙動を提供する、構造的修正（例えば、幾何学的切り欠き又は形状）を含むことができる。シャフト２４２の可撓性はまた、切断表面２５２とフランク２５８との間の連結（図示せず）によって達成することができる。
【００３５】
シャフト２４２は、中央ボア２６０と、中央ボア２６０へのアクセスを提供する開口２６２とを含むことができる。開口２６２は、図６Ａ〜６Ｃに例解されるように、シャフト２４２の端部に位置することができる。別の実施例（図示せず）において、開口２６２は、シャフト２４２の側方表面上に位置することができる。開口２６２は、例えば、円形、楕円形、正方形、長方形、又は任意の他の規則的若しくは不規則的形状を含む、任意の好適な形状を画定することができる。例示的な回転機構２４０は、複数のボア開口２６２を含むことができる。ボア２６０は、標的切断領域に潅注を提供するために使用することができるということが企図される。ボア２６０の近位端は、ボア開口２６２において潅注を提供するための潅注源に動作的に結合させることができる。潅注は、回転機構２４０と標的領域との間で生成される熱、及び／又は回転機構２４０とカニューレ２２０との間で生成される熱を消散することができる。潅注はまた、変位した物質（例えば、軟組織、骨、血液、又は他の間質液／物質）が、ネジ山２５６又はカニューレボア２２２の内表面に接着することを防止することができる。潅注はまた、標的領域からカニューレ２２０を通る変位した物質の流れを支援する。ボア２６０は、回転機構２４０の配置を方向付けるように、ガイドワイヤを受容するように、サイズ決定及び構成することができるということが更に企図される。別の実施例（図示せず）において、シャフト２４２は、ボア２６０を含むことなく、中実の構造を含むことができる。
【００３６】
シャフト２４２は、シャフト２４２本体から外側表面から延在するネジ山２５６を含むことができる。ネジ山２５６は、シャフト２４２の周囲に延在する螺旋状の（又は渦巻き状の）表面を形成することができる。ネジ山２５６は、シャフト２４２の全長に沿って、シャフト２４２から延在することができる。別の実施例において、ネジ山２５６は、シャフト２４２の長さの一部分のみに沿って延在することができる。ネジ山２５６は、椎間板（例えば、核及び／又は輪物質）、及び／又は海綿骨内の標的領域から物質を変位させるために、ネジ山２５６の外周囲に沿った切断表面２５２を含むことができる。図６Ｃに例解されるように、切断表面２５２は、シャフト２４２の近位端２５０に向かって延在する縁部を含むことができる。例示的な切断表面２５２は、標的領域から物質を変位させるため、及びシャフト２４２の回転中に、フランク２５８の後ろに変位した物質を保持することに役立つために使用することができる。
【００３７】
シャフト２４２の回転は、切断表面２５２を、標的領域における物質に接触させ、それを変位させることができる。同様に、シャフト２４２の回転は、変位した物質２７０を標的領域からシャフト２４２の近位端２５０（回転機構１４０に含まれる突起１５６と同様）に向かって移動させるためのコンベヤとしてネジ山２５６を作用させることができる。
【００３８】
ネジ山２５６は、複数のフランク２５８を含むことができる。別の実施例（図示せず）において、ネジ山２５６は、単一のフランク２５８を含むことができる。各フランク２５８は、前側２７２及び後側２７４を含むことができる。各フランク２５８は、フランク角度（α）を画定することができる。本出願の目的上、フランク角度（α）は、フランク２５８の後側２７４、及びシャフト２４２の縦軸と平行の参照平面に対して定義される。図６Ａに例解される例示的な回転機構２４０において、フランク２５８によって画定されるフランク角度（α）は、約９０°である。９０°のフランク角度（α）を有するネジ山２５６は、半径方向成分である、シャフト２４２の縦軸に垂直な単一の切断方向（矢印Ａによって表されるような）を提供する。シャフト２４２の縦軸に対して平行な切断方向（軸方向成分）を提供するために、回転機構２４０は、剪断スリーブとして機能するカニューレ２２０を含むことができる。変位した物質２７０がシャフト２４２の近位端２５０、及びカニューレ２２０に向かって輸送されるにつれて、フランク２５８とカニューレ２２０との間の干渉は、標的位置から物質を分離する、及び／又は物質をより小さい片に破壊することができる。フランク２５８とカニューレ２２０との間の接点は、物質に対する追加の変位点を提供するため、ネジ山２５６の切断表面２５２が、カニューレ２２０が剪断スリーブとして使用されない時ほど鋭利である必要はない。
【００３９】
図６Ｂに例解される別の実施例において、フランク角度（α）は、９０°未満の角度であり得る。例えば、フランク角度（α）は、約３０°〜約９０°未満の範囲である。別の実施例において、フランク角度（α）は、約４５°〜約９０°未満の範囲であり得る。更なる実施例において、フランク角度（α）は、約７０°であり得る。９０°未満のフランク角度（α）では、ネジ山２５６の回転を介した、変位した物質２７０のより良好な保持及び輸送をもたらすことができる。別の実施例（図示せず）において、９０°未満のフランク角度（α）を伴う例示的な回転機構２４０は、図６Ａに関して上で説明されるように、剪断スリーブとして機能するカニューレ２２０を含むことができる。
【００４０】
回転中、９０°未満のフランク角度（α）を有するネジ山２５６は、半径方向切断成分である、シャフト２４２の縦軸に垂直な切断方向（矢印Ａによって表される）、及び軸方向切断成分である、シャフト２４２の縦軸に平行な切断方向（矢印Ｂによって表されるような）を提供する。図７Ａは、シャフト＃が回転する（矢印Ｚ）時の半径方向（矢印Ａ）及び軸方向（矢印Ｂ）切断成分を例解する、例示的な回転機構２４０の斜視図を提供する。第３の切断方向は、側方（左右）又は垂直（上下）方向にシャフト２４２を移動させることによって、提供することができる。図７Ｂに例解されるように、回転機構２４０（矢印Ｚ）の回転は、半径方向切断成分（矢印Ａ）、及び軸方向切断成分（矢印Ｂ）を提供する。垂直方向（矢印Ｙ）における遠位端回転機構＃の移動は、側方切断成分（矢印Ｃ）を提供する。
【００４１】
回転機構２４０に関して上で概説されるように、ネジ山２５６（回転機構１４０及び突起１５６と同様）の回転によって、標的から変位した物質を除去するように働く。回転機構２４０／ネジ山２５６が、シャフト２４２の近位端２５０に向かって、変位した物質を付勢するにつれて、反対方向における力は、遠位端２４８に向かう方向に回転機構２４０を方向付ける（「引っ張る」）。つまり、ニュートンの運動の第３法則と一致して、回転機構２４０／ネジ山２５６が標的領域内の物質に力（Ｆ１）を付与する時、物質は同時に、回転機構２４０に力（Ｆ２）を付与する。これらの力は、概して、大きさは等しく、方向は反対である。回転機構２４０へのこの力は、シャフト２４２を、標的領域において前方に「這わせ」、回転機構２４０の制御を困難にし得る。
【００４２】
シャフト２４２の長さに沿ったネジ山２５６の種々のフランク２５８間のピッチの変化は、回転機構２４０への得られる軸方向力（前方力を含む）を制御することに役立ち得、変位した物質を除去する上での効率性を制御し得る。つまり、ピッチ幅は、物質への軸方向における力（例えば、変位した物質粒子への推進効果）を調節し、それにより、回転機構２４０への前方力を消散するように調節することができる。ピッチはまた、物質除去の割合、並びに標的領域から輸送されることが可能な変位した物質の粒径を定義するように調節することができる。図８に提供されるように、種々のフランク２５８間のピッチは、変化することができる。例えば、第１の組のフランク間のピッチ（Ｐ１）は、第２の組のフランク間のピッチ（Ｐ２）未満であり得る。図６Ａ〜６Ｃの実施例に対して例解される、別の例示的な回転機構２４０において、種々のフランク２５８間のピッチは、シャフト２４２の長さに沿って均一である。
【００４３】
シャフト２４２の長さに沿ったフランク２５８の高さの変化もまた、回転機構２４０への得られる軸方向力を制御するように、かつ変位した物質を除去する上での異なる効率性を提供するように調節することができる。概して、フランク２５８の高さは、回転機構２４０が、カニューレ２２０を通過し、カニューレ２２０の中で回転することができるように、構成される。図９は、隣接する椎体間の円板空間内に位置する、例示的な回転機構２４０の部分的側面図を提供する。図９に例解されるように、種々のフランク２５８の高さは、シャフト２４２の長さに沿って変化することができる。例えば、第１のフランク２５８Ａの高さは、第２のフランク２５８Ｂの高さ未満であり得、全体のフランク高さ（Ｈ）は、遠位端２４８から近位端２５０に向かって徐々に増加する。フランク高さは、シャフト２４２の近位端２５０に向かって位置するフランク２５８が、上位及び／又は下位椎体の表面に近接する一方、シャフト２４２の遠位端２４８におけるフランク２５８が、骨成分と接触することなく、物質に衝突し、それを変位させることができるように、構成することができる。図６Ａ〜６Ｃに例解される別の例示的な回転機構において、フランク２５８の高さは、シャフト２４２の長さに沿って一定のままであり得る。
【００４４】
シャフト２４２の縦軸に沿ったネジ山２５６の長さの変化もまた、回転機構２４０への得られる軸方向力を制御するように、かつ変位した物質を除去する上での異なる効率性を提供するように調節することができる。図１１Ｂに例解される例示的な回転機構２４０において、ネジ山２５６は、シャフト２４２の一部分に沿ってシャフト２４２から延在することができる。図６Ａ及び６Ｂに例解される別の実施例において、突起１５６は、シャフト１４２の全長に沿って延在することができる。
【００４５】
回転機構２４０への軸方向力もまた、回転機構２４０の一部分を包囲する筐体の使用によって制御することができる。図１０に例解されるように、筐体は、シャフト２４２及びネジ山２５６を部分的に被覆する、スリーブ２８０を含むことができる。シャフト２４２は、スリーブ２８０内で回転することができる。スリーブ２８０は、第１のアーム２８２及び第２のアーム２８４、並びに遠位端２８６を含むことができる。シャフト２４２は、遠位端２８６に嵌合係合することができる。別の実施例において、シャフト２４２は、遠位端２８６から独立している。第１のアーム２８２と第２のアーム２８４との間の開放空間は、ネジ山２５６に標的領域の物質へのアクセスを提供することができる。例示的な回転機構２４０において、椎間（intervetebral）空間の中へ挿入される時、第１のアーム２８２及び第２のアーム２８４は、後方及び前方方向における切断窓を提供しつつ、上位及び下位椎骨に隣接する及び／又はそれに関連付けられる物質を保護することができる。
【００４６】
回転機構２４０は、カニューレ２２０内に配置することができる。カニューレ２２０は、カニューレ１２０と同様の形態及び機能とすることができる。カニューレ２２０は、回転機構２４０の回転を可能にするようにサイズ決定及び構成される。カニューレ２２０は、可撓性物質（例えば、ポリマー、ニチノール）又は剛性物質から構築することができる。硬質及び／又は剛性物質から構築される例示的なカニューレ２２０は、断面力に関して、全体の可撓性挙動を提供する、構造的修正（例えば、幾何学的切り欠き又は形状）を含むことができる。上で概説されるように、カニューレ２２０はまた、カニューレボア２２２及び／又は回転機構２４０を通過する変位した物質に対して、トルク伝達要素として機能することができる。
【００４７】
カニューレ２２０は、約３ｍｍ〜約１５ｍｍの範囲の外径を有する細長い円筒構造を画定することができる。別の実施例において、カニューレ２２０は、約５ｍｍ〜約６ｍｍの範囲の外径を有することができる。更なる実施例において、カニューレ２２０は、約５．５ｍｍの外径を有することができる。カニューレ２２０は、回転機構２４０の回転に適応するようにサイズ決定及び構成される中央ボア２２２を含むことができる。ボア２２２の内径は、約１ｍｍ〜約５ｍｍの範囲であり得る。カニューレ２２０はまた、中央ボア＃へのアクセスを提供する開口２２４を含むことができる。開口２２２は、物質除去器具２００が患者内に位置する時、ネジ山２５６の少なくとも一部分に標的領域へのアクセスが提供されるように、回転機構２４０に対して位置することができる。
【００４８】
図１１Ａ及び１１Ｂに例解されるように、開口２２２は、カニューレ２２０の側方表面上に位置することができる。この実施例において、カニューレ開口２２２は、ネジ山２５６の少なくとも一部分を含む、回転機構２４０の少なくとも一部分が、カニューレ開口２２４から延在し、それにより、開口２２４の方向における切断を制限するように、サイズ決定及び位置することができる。開口２２４は、例えば、円形、楕円形、正方形、長方形、又は任意の他の規則的若しくは不規則的形状を含む、任意の好適な形状を画定することができる。カニューレ２２０は、単一の開口２２４又は複数の開口２２４（図示せず）を含むことができる。別の実施例（図示せず）において、開口２２４は、カニューレ２２０の端部に位置することができ、ネジ山２５６の少なくとも一部分を含む回転機構２４０は、カニューレ開口２２４から延在することができる。
【００４９】
カニューレ２２０はまた、回転機構２４０への軸方向力を制御するために使用することができる。図１１Ａ及び１１Ｂに例解されるように、カニューレ２２０は、シャフト２４２及びネジ山２５６を部分的に被覆する。図１１Ａに提供されるように、開口２２４は、カニューレの側方表面上に位置することができ、カニューレ２２０の縦及び半径方向表面の両方に延在する細長い開口を画定することができる。開口２２４を提供することによって、開口２２４に近接するネジ山２５６のそれらの部分のみが、標的領域における物質と接触し、ネジ山２５６の対応する他の部分は、物質と接触せず、それにより、シャフト２４２の回転に起因する軸方向力、及び標的領域における物質との接触が低減される。カニューレ２２０は、回転機構２４０の遠位端２４８を被覆することができる。回転機構２４０の遠位端を被覆することによって、カニューレ２２０は、回転機構２４０への軸方向力が、回転機構２４０を前方に駆動することを防止することに役立つ。回転機構２４０の遠位端２４８の被覆はまた、非意図的に過剰な物質を除去すること及び／又は意図されない組織を損傷することを防止することに役立つ。
【００５０】
使用中、物質除去器具２００は、隣接する椎骨間の骨物質及び／又は円板物質を除去することができる。カニューレ２２０及び回転機構２４０は、円板／骨空間の中へ提供することができる。物質除去器具２００（カニューレ２２０及び回転機構２４０）は、カニューレ開口２２４が円板内の標的領域に近接するように位置することができる。一度標的位置に位置され、回転機構２４０が、回転エネルギー源に動作的に結合されると、回転機構２４０は、カニューレ２２０内で回転し、ネジ山２５６を標的位置の円板物質に接触させ、それを変位させ、円板空間内に空洞を創出することができる。
【００５１】
変位した物質は、カニューレ開口２２４の中へ、かつカニューレボア２２２を通って、引き出すことができる。上で概説されるように、回転機構２４０及びネジ山２５６の回転は、補助的な吸入／吸引の使用を伴わずに、変位した物質を標的領域から、かつカニューレボア＃を通じて移動させるためのコンベヤ（又はネジポンプ）として作用することができる。別の実施例において、カニューレボア２２２の近位端は、標的領域及び／又はカニューレボア２２２からの変位した物質の除去を支援するように、吸引デバイスに動作的に結合させることができる。
【００５２】
図１２Ａ〜１２Ｄは、別の例示的な物質除去器具３００の部分図を提供する。例示的な物質除去器具３００は、カニューレ３２０と、回転機構３４０とを含むことができる。回転機構３４０は、シャフト３４２を含むことができる。シャフト３４２は、細長い円筒構造を画定することができる。別の実施例（図示せず）において、シャフト３４２は、例えば、楕円形、正方形、長方形、又は任意の他の規則的若しくは不規則的形状を含む、任意の好適な形状を有する断面を伴う、細長い構造を画定することができる。図１２Ａに提供されるように、シャフト３４２は、第１の直径を有する第１の部分３７０、及び第２の直径を有する第２の部分３７２を画定することができる。別の例示的な回転機構３４０において、シャフト３４２の直径は、シャフト３４２の縦の長さに沿って一定であり得る。更なる実施例において、シャフト３４２は、カニューレボア３２２を通じた送達中に、質量要素３４６に適応するように、切り欠き及び／又はヒンジを含むことができる。
【００５３】
回転機構３４０もまた、シャフト３４２に固定される接続要素３８０、及び接続要素３８０に固定される質量要素３４６を含むことができる。接続要素３８０は、質量要素３４６をシャフト３４２に接続するための可撓性部材を備えることができる。例示的な接続要素３８０は、可撓性物質から形成されるワイヤ、ネジ山、及び／又はシートを含むことができる。他の例示的な接続要素３８０は、例えば、ニチノール（ＮｉＴｉ）ストリップを含む、事前形状化された高弾性物質を含むことができる。事前形状化された接続要素３８０は、カニューレ４２０内にある間、変形した形状に応力付加され得る。カニューレ４２０からの除去後、事前形状化された接続要素３８０は、その元の変形されていない形状に回復され得る。
【００５４】
図１２Ａ〜１２Ｄに例解されるように、質量要素３４６は、丸い／球形形状を有することができる。別の実施例において、質量要素３４６は、例えば、球形、楕円形、立方体、環状体、円筒、若しくは正方形、長方形、又は任意の他の規則的若しくは不規則的形状を含む、任意の好適な形状を画定することができる。質量要素３４６は、椎間板（例えば、核及び／又は輪物質）、及び／又は海綿骨内の標的領域から物質を変位させるための、質量要素３４６の周囲又は表面上の切断表面３５２を含むことができる。切断表面３５２は、鋭利な縁部、粗化された表面、ブラストされた表面、及び／又は任意の他の形態の研磨表面、及び／又は質量要素３４６上に形成された、若しくは質量要素３４６に取設された特性を含むことができる。例えば、図１２Ａ〜１２Ｄに例解されるように、質量要素３４６は、標的領域から物質を変位させるための研磨表面を有する丸い／円筒質量を含むことができる。質量要素３４６は、約１グラム未満の重量を有し得る。別の実施例において、質量要素３４６は、約１グラムの重量を有し得る。更なる実施例において、質量要素３４６は、約１グラム超の重量を有し得る。例示的な質量要素３４６は、均一な重量分布を有する。別の実施例において、質量要素３４６の質量分布は、切断表面３５２において集中される。
【００５５】
図１２Ｂに例解されるように、質量要素３４６は、回転機構３４０（シャフト３４２、接続要素３８０、質量要素３４６）を、カニューレ３２０を介して身体／標的領域の中に挿入することができるように、接続要素３８０を介してシャフト３４２に取設することができる。
【００５６】
回転機構３４０は、カニューレ３２０内の開口３２４から延在することができる。シャフト３４２の回転は、接続要素３８０及び質量要素３４６を、シャフト３４２から離れた方向に移動させることができる。図１２Ｃ及び１２Ｄに例解されるように、シャフト３４２の回転中、接続要素３８０は、シャフト３４２の縦軸から離れた方向に延在する。質量要素３４６が、シャフト３４２の縦軸周辺で回転するにつれて、それは、物質に衝突し、それを標的領域から変位させる。接続要素３８０の長さ、及び質量要素３４６の寸法は、シャフト３４２の回転によって創出される最大掘削直径（Ｄ）を画定するように調節することができる。図１２Ｃに例解されるように、最大掘削直径（Ｄ）は、カニューレ３２０の外径及び／又は内径を上回り得る。
【００５７】
シャフト３４２は、可撓性物質（例えば、ポリマー、ニチノール）又は剛性物質から構築することができる。硬質及び／又は剛性物質から構築される例示的なシャフト３４２は、断面力に関して、全体の可撓性挙動を提供する、構造的修正（例えば、幾何学的切り欠き又は形状）を含むことができる。図１３Ａ及び１３Ｂに例解される例示的な回転機構は、可撓性物質から構築されるシャフト３４２を含む。硬質及び／又は剛性物質から構築される例示的なシャフト３４２は、断面力に関して、全体の可撓性挙動を提供する、幾何学的切り欠き又は形状（例えば、バネ）を含むことができる。図１３Ａに提供されるように、質量要素３４６は、接続要素３８０の使用を伴わずに、可撓性シャフト３４２に直接取設することができる。図１３Ａ及び１３Ｂに例解される例示的な回転機構３４０において、シャフト３４２の質量の偏心円の中心（excentric center）及び質量要素３４６は、シャフト３４２を回転させる時、不均衡をもたらし得る。細長いシャフト３４２（質量要素３４６に加え）が物質に衝突し、それを変位させることができるように、細長いシャフト３４２の表面もまた、切断表面３５２を含む場合、不均衡な質量中心は、標的領域に円錐形状の空洞を創出し得る。
【００５８】
所望の用途及び患者の生体構造に依存して、空洞の形状を変化させることが望ましい場合がある。可撓性シャフト３４２を使用する時、空洞の形状は、カニューレ開口３２４の形状を変更することによって、変化させることができる。例えば、開口３２４の形状は、図１３Ｃ〜１３Ｆに例解されるように変化させることができる。開口３２４は、開口の形状が可撓性シャフト３４２及び質量要素３４６の回転／通路を画定する、陥凹部分３２６及び突出部分３２８を含むことができる。特に、陥凹部分３２６は、シャフト３４２が直径（Ｘ１）に回転することを可能にし、突出部分は、シャフト３４２が直径（Ｘ２）に回転することを可能にし、ここで、Ｘ２は、Ｘ１を上回る。
【００５９】
図１４Ａ〜１４Ｄに例解される別の例示的な物質除去器具３００において、接続要素３８０は、ストリップの一部分に取設される質量要素３４６を有する、可撓性ストリップの物質を含むことができる。例示的な回転機構３４０において、質量要素３４６は、接続要素３８０上に一体的に形成される。例えば、質量要素３４６は、接続要素３８０の折り畳まれた部分に形成することができる。質量要素３４６は、接続要素３８０及び質量要素３４６が展開位置にある時（例えば、シャフト３４２が回転しており、接続要素３８０がシャフト３４２から延在する時）、シャフト３４２の縦軸からの最も大きい距離を画定する、接続要素３８０上のある位置に位置することができる。折り畳まれた接続要素３８０のより軽い、より薄い、及び／又はより可撓性の部分は、質量要素３４６とシャフト３４２との間に位置することができる。質量要素３４６は、接続要素３８０及び質量要素３４６が展開されていない位置にある時、シャフト３４２の縦軸からの最も大きい距離を画定する、接続要素３８０上のある位置に位置することができることもまた、企図される。質量要素３４６の質量中心もまた、シャフト３４２の縦軸からの最も大きい距離を画定することができる時、質量要素３４２を回転軸から離れて移動させる得られる力は、より高い。つまり、ニュートンの第２法則（Ｆ＝ｍａ）を適用し、質量要素３４６への求心力（Ｆ）は、以下の式Ｆ＝ｍω２ｒを使用して判定することができ、ここで、ｍは、質量要素３４６の質量であり、ωは、質量要素３４６の回転速度であり、ｒは、回転半径（質量要素３４６と回転軸との間の距離）である。
【００６０】
別の例示的な物質除去器具３００が、図１５Ａ及び１５Ｆに例解される。接続要素３８０は、シャフト３４２の周囲に巻き付けることが可能な平坦なストリップの可撓性物質である。質量要素３４６は、接続要素３８０の表面上に形成される、及び／又は接続要素３８０に固定される、鋭化したスパイク又は他の縁部／突起を含むことができる。接続要素３８０は、図１５Ｂ〜１５Ｄにおいて、展開されていない構成で示される。シャフト３４２が回転するにつれて、遠心力は、図１５Ｅ及び１５Ｆに例解されるように、接続要素３８０／質量要素３４６を、シャフト３４２の回転軸に対して外方に付勢する。接続要素３８０の特性（幅、厚さ、物質、事前形状化等）が、質量要素３４６への遠心力、及び／又はシャフト３４２の回転速度を改変し得るため、空洞の掘削直径は調節することができる。
【００６１】
別の例示的な物質除去器具３００が、図１６Ａ及び１６Ｂに例解される。回転機構３４０の切断性能（即ち、時間単位当たりの切断又は分離された物質の量）を増加させるために、回転機構３４０は、複数の質量要素３４６を含むことができる。１つの質量要素３４６のみが使用される時、円板様の空洞が創出される（図１６Ｃを参照されたい）。空洞を拡大するために、回転機構３４０は、軸方向に移動し（図１６Ｃの距離「ａ」）、それにより、円筒形状の空洞を創出しなければならない。複数の質量要素３４６が使用される時、同じ量の軸方向移動（図１６Ｂの距離「ａ」）が、単一の質量要素３４６の空洞よりも大きい空洞をもたらす。更に、単一の質量要素３４６が、ある割合（例えば、グラム毎秒）で円板物質を分離する場合、複数の質量要素３４６は、より大きい割合でより多くの円板物質を分離することができる（回転機構３４０を駆動する回転エネルギー源が、一定の旋回速度を維持することができると仮定）。
【００６２】
図１６Ａに例解されるように、質量要素３４６は、シャフト３４２の長さの反対側に沿った、シフトされた／オフセットされた位置において、提供することができる。別の実施例（図示せず）において、質量要素３４６／接続要素３８０は、シャフト３４２の長さに沿った鏡像位置において、シャフト３４２から延在することができる。図１６Ｂに例解される別の実施例において、複数の質量要素３４６は、シャフト３４２の片側から延在する。更なる実施例において、複数の質量要素３４６は、シャフト３４２の周囲（直径）の周辺の任意の位置から延在することができる。回転機構３４０は、偶数又は奇数の質量要素３４６を含むことができる。質量要素３４６の各々の質量は、変化することができるか、又は質量は、複数の質量要素３４６の各々に対して一定とすることができる。質量要素３４６及び接続要素３８０の各々のサイズ及び／又は形状は、変化することができるか、又はサイズ及び／又は形状は、複数の質量要素３４６の各々に対して一定とすることができる。
【００６３】
回転機構３４０は、カニューレ３２０内に配置することができる。カニューレ３２０は、上で概説されるように、カニューレ１２０及びカニューレ２２０と同様の形態及び機能とすることができる。カニューレ３２０は、回転機構３４０の回転に適応するようにサイズ決定及び構成される、中央ボア（図示せず）を含むことができる。カニューレ３２０はまた、中央ボア３２２へのアクセスを提供する開口３２４を含むことができる。開口３２４は、物質除去器具３００が患者内に位置する時、回転機構３４０（質量要素３４６を含む）に、標的領域へのアクセスが提供されるように、カニューレ３２０上に位置することができる。カニューレ３２０は、可撓性物質（例えば、ポリマー、ニチノール）又は剛性物質から構築することができる。硬質及び／又は剛性物質から構築される例示的なカニューレ３２０は、断面力に関して、全体の可撓性挙動を提供する、構造的修正（例えば、幾何学的切り欠き又は形状）を含むことができる。
【００６４】
使用中、物質除去器具３００は、隣接する椎骨間の骨物質及び／又は円板物質を除去することができる。図１２Ｂに例解されるように、カニューレ３２０及び回転機構３４０は、展開されていない構成において、円板／骨空間の中へ提供することができる。カニューレ開口３２４は、円板／骨物質内の標的領域に近接する。図１２Ｃ及び１２Ｄに提供されるように、回転機構３４０は、標的位置においてカニューレ開口３２４から延在するように調節することができる。回転機構３４０／シャフト３４２は、回転機構３４０を回転させる回転エネルギー源に動作的に結合させることができる。例示的な回転機構は、約１，０００ｒｐｍ〜約２０，０００ｒｐｍの範囲の速度で回転することができる。シャフト３４２の回転に起因する遠心力は、質量要素３４６及び接続要素３８０を、回転軸（即ち、シャフト３４２の縦軸）から離れた方向に強制する。シャフト３４２の回転はまた、質量要素３４６に、ある角速度で、及び略円形軌道で、シャフト３４２の縦軸周囲を回転させる。質量要素３４６がシャフト３４２の軸の周囲を回転するにつれて、質量要素３４６の慣性及び軌道は、切断表面３５２を円板物質に接触させ、円板物質を標的位置から変位させる。必要とされる回転速度は、質量要素３４６の重量、及び質量要素の中心と回転軸との間の距離に基づいて判定することができる。
【００６５】
図１２Ｃに例解されるように、回転する質量要素３４６は、空洞のサイズを決定する回転の直径（Ｄ）を画定することができる。直径（Ｄ）は、接続要素３８０の長さ、及び質量要素３４６のサイズによって画定することができる。接続要素３８０の可撓性／抵抗もまた、直径（Ｄ）に影響し得る。例えば、可撓性接続要素３８０は、接続要素３８０の長さに沿って、円板空間に完全に拡張することができる。半可撓性接続要素３８０を使用する別の実施例において、接続要素３８０の抵抗は、回転中の完全な拡張に抵抗することができる。接続要素３８０の長さ及び／又は可撓性、並びに質量要素３４６のサイズは、回転の直径（Ｄ）が、上位及び下位椎体間の最大円板高さと同様であるように、提供され得る。同様に、接続要素３８０の長さ及び／又は可撓性、並びに質量要素３４６のサイズは、回転の直径（Ｄ）が、カニューレ３２０の外径を上回るように、提供され得る。
【００６６】
図１２Ｄに例解されるように、シャフト３４２は、軸方向に移動して、質量要素３４６を円板物質内で前進させ、それにより、追加の物質を除去し、空洞を拡大させることができる。同様に、シャフト３４２及び／又はカニューレ３２０は、除去するために側方及び／又は垂直方向に移動して、質量要素３４６を追加の円板物質に衝突させ、かつ空洞を側方及び／又は垂直方向に拡大させることができる。
【００６７】
図１７〜１８は、他の例示的な物質除去器具４００の部分的側面図を提供する。例示的な物質除去器具４００は、カニューレ４２０と、切断要素４４６と、切断要素４４６に取設される内側要素４８０とを含むことができる。切断要素４４６は、カニューレ４２０内に配置することができる。カニューレ４２０は、上で概説されるようなカニューレ１２０、カニューレ２２０、及びカニューレ３２０と同様の形態及び機能とすることができる。カニューレ４２０は、可撓性又は剛性物質から構築することができる。カニューレ４２０は、切断要素４４６及び内側要素（図示せず）に適応するようにサイズ決定及び構成される、中央ボア（図示せず）を含むことができる。カニューレ４２０はまた、中央ボアへのアクセスを提供する開口４２４を含むことができる。開口４２４は、物質除去器具４００が患者内に位置する時、切断要素４４６の少なくとも一部分に、標的領域へのアクセスが提供されるように、位置することができる。
【００６８】
図１７Ａ、１７Ｂ、及び１７Ｆに例解されるように、カニューレ４２０は、単一の開口４２４を含むことができる。別の実施例において、カニューレ４２０は、カニューレ４２０の外側表面の周囲に位置する複数の開口４２４を含むことができる。例えば、図１７Ｃ〜１７Ｅに例解されるように、カニューレ４２０は、カニューレ４２０の反対側に提供される２つの開口４２４を含むことができる。開口４２４は、カニューレ４２０の側方表面上に位置することができる。
【００６９】
図１８Ａ及び１８Ｂに例解される別の実施例において、開口４２４は、カニューレ４２０の遠位端４４８の端部表面上に位置することができる。開口４２４は、例えば、円形、楕円形、正方形、長方形、又は任意の他の規則的若しくは不規則的形状を含む、任意の好適な形状を画定することができる。
【００７０】
切断要素４４６は、可撓性ブレード及び／又はワイヤを含むことができる。切断要素４４６の一部分は、内側要素の移動が、カニューレ開口４２４を通って半径方向に切断要素４４６を拡張するように、内側要素に固定することができる。拡張された切断要素４４６は、カニューレ４２０の外径を上回る外径を画定することができる。例えば、拡張された切断要素４４６は、カニューレ４２０の外径よりも約１ｍｍ〜約２４ｍｍ大きい外径を画定することができる。つまり、切断要素４４６は、半径方向に、カニューレ４２０の外側表面から約２ｍｍ〜約１２ｍｍ拡張することができる。
【００７１】
例示的な物質除去器具４００において、カニューレ４２０の縦軸に沿った方向における内側要素の移動は、切断要素４４６に力を印加し、開口４２４を通って半径方向に切断要素４４６を拡張させる。図１７Ａ〜１７Ｅに例解される一実施例において、切断要素４４６の近位端は、カニューレ４２０の遠位端４４８に向かう方向（図１７Ｅの矢印Ａ）における内側要素の移動が、開口４２４を通って半径方向に切断要素４４６を拡張するように、内側要素に固定することができる。
【００７２】
図１７Ｆ及び１７Ｇに例解される別の実施例において、切断４４６の半径方向の拡張は、切断要素４４６の形状を変更することによって制御することができる。例えば、切断要素４４６のプロファイルは、変形／半径方向の拡張が所望される部分において狭くすることができる。図１７Ｇに例解されるように、切断要素４４６のプロファイルは、切断要素４４６の側面部分上の陥凹４５２を含むことによって狭くすることができる。陥凹４５２は、正方形、湾曲、又は任意の規則的若しくは不規則的形状を有することができることが企図される。
【００７３】
図１８Ａ及び１８Ｂに例解される別の実施例において、内側要素は、中央シャフト４８２、及びエンドキャップ４８４を含む。切断要素４４６の近位端は、カニューレ４２０に結合させることができ、切断要素４４６の遠位端は、エンドキャップ４８４に結合させることができる。カニューレ４２０の近位端４５０に向かう方向における中央シャフト４８２の移動は、切断要素４４６に力を印加し、開口４２４を通って半径方向に切断要素４４６を拡張させる。図１８Ｃ及び１８Ｄに例解される更なる実施例において、中央シャフト４８２及び／又はエンドキャップ４８４は、中央シャフト４８２の縦軸の周囲で回転することができる。切断要素４４６の近位端は、カニューレ４２０に結合させることができ、切断要素４４６の遠位端は、エンドキャップ４８４に結合させることができ、そのため、中央シャフト４８２／エンドキャップ４８４の回転は、切断要素４４６を中央シャフト４８２の周囲で回転させ、螺旋状の切断表面を形成させる。
【００７４】
上で概説されるように、カニューレ４２０及び細長いシャフト４２４は両方とも、可撓性物質（又は可撓性反応を呈する物質）から構築することができる。可撓性物質から構築されるカニューレ４２０及び／又はシャフト４２４は、標的領域にアクセスする時の操縦を可能にする。可撓性はまた、物質除去器具４００の可動範囲を増加させることができる。
【００７５】
使用中、物質除去器具４００は、隣接する椎骨間の骨物質及び／又は円板物質を除去することができる。切断要素４４６を含むカニューレ４２０は、カニューレ開口４２４が標的領域に近接するように、円板／骨空間の中へ提供することができる。一度標的領域に位置付けられると、切断要素４４６は、開口４２４から半径方向に拡張することができる。カニューレ４２０は、回転エネルギー源に動作的に結合させることができる。カニューレ４２０の回転は、拡張された切断要素４４６を、標的位置における円板物質に接触させ、円板物質を変位させ、円板空間内に空洞を創出する。空洞は、円板空間内で軸方向、側方、及び／又は垂直に回転カニューレ４２０／切断要素４４６を移動させることによって、拡張させることができる。
【００７６】
本明細書で開示される種々の実施形態の特定の特性は、ユーザによって印加される力によって手動で、又は、代替的に、特殊モータ／電源を利用して、実施することができることに留意されたい。例えば、回転機構１００、２００、３００、及び／又はカニューレ４２０の種々の構成要素の回転は、外科医によって手動で実施することができる。逆に、回転機構１００、２００、３００、及び／又はカニューレ４２０の種々の構成要素の回転は、ある実装において、マイクロプロセッサ又は他のガイダンスシステムを利用して、切断表面の回転速度及び位置を調整し、標的身体内に空洞を最適に形成することができる、モータ式構成要素によって実施することができる。
【００７７】
回転機構１４０、２４０、３４０、及びカニューレ４２０の各々は、中央ボアを各々含むことができるということが企図される。中央ボアは、切断領域への潅注を提供するために使用することができる。中央ボアは、回転機構１４０、２４０、３４０、及び／又はカニューレ４２０の遠位端に提供されるボア開口に潅注を提供するための潅注源に動作的に結合させることができる。潅注は、回転機構１４０、２４０、３４０、及び／又はカニューレ４２０と、標的領域との間で生成される熱を消散させるために提供することができる。潅注はまた、回転機構１４０、２４０、３４０、及び／又はカニューレ４２０と、カニューレ１２０、２２０、３２０、及び／又は導入カニューレ１０２との間で生成される熱を消散させることができる。潅注はまた、変位した物質（例えば、軟組織、骨、血液、又は他の間質液／物質）が、物質除去器具１００、２００、３００、４００のうちのいずれか１つに含まれるカニューレボア及び／又は導入カニューレ（cannual）のブレード、突起、ネジ山、切断表面、質量要素、切断表面、及び／又は内表面に接着することを防止することができる。潅注はまた、標的領域からカニューレ１２０、２２０、３２０、４２０を通る変位した物質の流れを支援することができる。回転機構１４０、２４０、３４０、及びカニューレ４２０の各々に含まれるボアは、回転機構１４０、２４０、３４０／カニューレ４２０の配置を方向付けるように、ガイドワイヤを受容するように、サイズ決定及び構成することができるということが更に企図される。例示的なガイドワイヤは、キルシュナーワイヤ（Ｋワイヤ）を含むことができる。
【００７８】
説明される物質除去器具１００、２００、３００、４００の各々に対するカニューレ１２０、２２０、３２０、４２０は、可撓性挙動を呈することができるということもまた企図される。カニューレ１２０、２２０、３２０、４２０の全て又は一部分は、剛性又は可撓性物質から構築されてもよい。可撓性は、カニューレ１２０、２２０、３２０、４２０の物質特性、構造的特性及び／又はカニューレ１２０、２２０、３２０、４２０への修正、及び／又は物質除去器具の別の部分との連結に基づいて達成され得る。同様に、説明される物質除去器具１００、２００、３００、４００の各々に対する回転機構１４０、２４０、３４０の全て又は一部分はまた、可撓性挙動を呈することができる。特に、細長いシャフト１４２、２４２、３４２は、剛性又は可撓性物質から構築されてもよい。可撓性は、回転機構１４０、２４０、３４０／細長いシャフト１４２、２４２、３４２の物質特性、構造的特性及び／又は回転機構１４０、２４０、３４０／細長いシャフト１４２、２４２、３４２への修正、及び／又は物質除去器具１００、２００、３００、４００の別の部分との連結に基づいて達成され得る。カニューレ１２０、２２０、３２０、４２０及び／又は回転機構１４０、２４０、３４０の可撓性は、標的領域にアクセスする時、及び組織の除去中に、操縦／方向制御を提供するために使用することができる。
【００７９】
物質除去器具１００、２００、３００、４００の１つ以上の構成要素は、例えば、チタン、チタン合金、ステンレス鋼、及びコバルトクロム、コバルトクロムモリブデン（ＣｏＣｒＭｏ）等の金属、又は他の金属を含む、既知の任意の生体適合性物質から作製されてもよい。他の物質としては、例えば、複合材料、ポリマー、又はセラミックが挙げられる。一実施例において、物質除去器具１００、２００、３００、４００の１つ以上の構成要素は、例えば、１７−４ＰＨステンレス鋼等のステンレス鋼を含む、放射線不透過性物質から構築することができる。同様に、本明細書で説明される１つ以上の構成要素は、放射線撮像中に、アセンブリの可視性を増強するように、放射線透過性物質から構築することができる。例示的な放射線透過性物質としては、「ライフサイエンス」グレードＰＥＥＫ（Ｋｅｔｒｏｎ  ４５０Ｇ  ＰＥＥＫ）が挙げられ得る。ライフサイエンスグレードＰＥＥＫは、摩耗及び摩滅特性を改善し、かつ高い降伏強度を提供することができる。物理的又は化学的特性を改善するように、本明細書で説明される種々の構成要素に、プラズマ溶射チタンコーティング又はヒドロキシアパタイト（Hydroxypatite）等のコーティングを追加又は適用してもよい。更に、当業者はまた、本明細書で説明される種々の構成要素を、移植及び空洞創出に望ましい任意の寸法で構築することができるということを理解するであろう。
【００８０】
前述の説明及び図面は、本発明の好ましい実施形態を表すが、添付の特許請求の範囲において定義されるように、本発明の趣旨及び範囲を逸脱することなく、様々な追加、修正、組み合わせ及び／又は置き換えを行うことができることが理解されよう。特に、本発明が、他の特定の形態、構造、配設、比率で、また他の要素、材料、及び構成要素を用いて、その趣旨又は本質的な特性から逸脱することなく具現化され得ることが、当業者には明らかとなるであろう。当業者は、本発明が、本発明の原理から逸脱することなく、特定の環境及び動作要件に特に適合される、本発明の実践において使用される、構造、配置、比率、材料、及び構成要素の多くの修正を伴って、並びに別の方法で、使用され得ることを認識するであろう。加えて、本明細書において記述されている形体を単独で、又は他の形体と組み合わせて使用することもできる。したがって、ここに開示した実施形態は、いかなる点においても例示的なものであり、限定的なものではないと解釈されるべきであり、本発明の範囲は、添付の「特許請求の範囲」によって示され、上記の説明に限定されるものではない。
【００８１】
当業者は、広い発明概念から逸脱することなく前述の実施形態に変更を行うことができることを理解されたい。したがって、本発明は、開示された特定の実施形態に制限されず、以下の特許請求の範囲によって定義されるような本発明の趣旨及び範囲内の修正をも包含することを意図するものと理解される。
【００８２】
〔実施の態様〕
（１）  物質除去器具であって、
カニューレであって、
カニューレボア、及び
前記カニューレの遠位端におけるカニューレ開口であって、前記カニューレボアへのアクセスを提供する、カニューレ開口を含む、カニューレと、
少なくとも部分的に前記カニューレ内に配置される回転機構であって、
細長いシャフトであって、中央ボア、及び前記中央ボアへのアクセスを提供する、前記細長いシャフトの遠位端における開口を有する、細長いシャフト、
前記細長いシャフトの一部分から延在する突起、
物質を標的領域から変位させるための、前記細長いシャフトの他の部分から延在するブレードであって、前記ブレードの少なくとも一部分が、前記カニューレ開口から延在する、ブレードを含む、回転機構と、を備え、
前記回転機構が、前記ブレードに、前記標的領域から物質を変位させるように、前記カニューレ内で回転可能であり、
前記変位した物質が、前記カニューレボアを通じて前記標的領域から引き出される、物質除去器具。
（２）  前記カニューレ開口が、前記カニューレの端壁上に位置される、実施態様１に記載の物質除去器具。
（３）  前記カニューレ開口が、前記カニューレの側方表面上に位置する、実施態様１に記載の物質除去器具。
（４）  前記突起が、前記細長いシャフトの周囲に延在する螺旋状の表面を形成する、実施態様１に記載の物質除去器具。
（５）  前記回転機構の前記中央ボアが、潅注源に動作的に結合される、実施態様１に記載の物質除去器具。
【００８３】
（６）  前記回転機構の前記中央ボアが、ガイドワイヤを受容するようにサイズ決定及び構成される、実施態様１に記載の物質除去器具。
（７）  前記回転機構の近位端が、回転エネルギー源に動作的に結合される、実施態様１に記載の物質除去器具。
（８）  前記ブレードが、前記細長いシャフトから半径方向に延在する、実施態様１に記載の物質除去器具。
（９）  前記ブレードが、前記細長いシャフトの前記遠位端から延在する、実施態様１に記載の物質除去器具。
（１０）  前記ブレードの一部分が、前記細長いシャフトの縦軸の周囲に延在する螺旋状の表面を形成する表面を含む、実施態様１に記載の物質除去器具。
【００８４】
（１１）  前記回転したブレードの直径によって画定される高さが、回転の間、略一定である、実施態様９に記載の物質除去器具。
（１２）  物質除去器具であって、
カニューレであって、
カニューレボア、及び
前記カニューレの遠位端におけるカニューレ開口であって、前記カニューレボアへのアクセスを提供する、カニューレ開口を含む、カニューレと、
少なくとも部分的に前記カニューレ内に配置される回転機構であって、
細長いシャフト、
標的領域から物質を変位させるための、前記細長いシャフトの一部分から延在するネジ山であって、前記ネジ山が、前側及び後側を有するフランクを含み、前記後側が、前記回転機構の縦軸に対して９０°未満のフランク角度を有する、ネジ山を含む、回転機構と、を備え、
前記回転機構の少なくとも一部分が、前記カニューレ開口から延在し、
前記回転機構が、前記ネジ山を、物質に衝突させ、その物質を前記標的領域から変位させるように、前記カニューレ内で回転可能である、物質除去器具。
（１３）  前記変位した物質が、前記ネジ山の回転によって、前記カニューレボアを通って、前記標的領域から付勢される、実施態様１２に記載の物質除去器具。
（１４）  前記カニューレ開口が、前記カニューレの側方表面上に位置する、実施態様１２に記載の物質除去器具。
（１５）  前記ネジ山が、前記細長いシャフトの前記一部分の外側表面の周囲に螺旋状のネジ山を形成する、実施態様１２に記載の物質除去器具。
【００８５】
（１６）  前記ネジ山が、複数のフランクを含み、
第１の組のフランク間のピッチが、第２の組のフランク間のピッチとは異なる、実施態様１２に記載の物質除去器具。
（１７）  前記ネジ山が、複数のフランクを含み、
第１のフランクの高さが、第２のフランクの高さとは異なる、実施態様１２に記載の物質除去器具。
（１８）  前記複数のフランクの全体の高さが、前記回転機構の遠位端から近位端まで増加する、実施態様１７に記載の物質除去器具。
（１９）  物質除去器具であって、
カニューレであって、
カニューレボア、及び
前記カニューレの遠位端におけるカニューレ開口であって、前記カニューレボアへのアクセスを提供する、カニューレ開口を含む、カニューレと、
少なくとも部分的に前記カニューレ内に配置され、かつ前記カニューレ内で回転可能である回転機構であって、
細長いシャフト、
前記細長いシャフトに固定される接続要素、及び
標的領域から物質を変位させるための質量要素であって、前記接続要素に固定される、質量要素を含む、回転機構と、を備え、
前記回転機構の回転が、前記接続要素を、前記回転機構の縦軸から離れた方向に移動させ、前記質量要素を、前記縦軸からある距離において、前記回転機構の前記縦軸の周囲で回転させ、
前記質量要素の回転が、前記質量要素を物質に衝突させ、その物質を前記標的領域から変位させる、物質除去器具。
（２０）  前記接続要素が、可撓性ワイヤである、実施態様１９に記載の物質除去器具。
【００８６】
（２１）  前記質量要素が、切断表面を含む、実施態様１９に記載の物質除去器具。
（２２）  物質除去器具であって、
カニューレであって、
カニューレボア、及び
前記カニューレの遠位端におけるカニューレ開口であって、前記カニューレボアへのアクセスを提供する、カニューレ開口を含む、カニューレと、
少なくとも部分的に前記カニューレ内に配置される切断要素であって、内側要素に取設される、切断要素と、を備え、
前記切断要素が、前記カニューレの縦軸に沿った方向における第１の位置から第２の位置までの前記内側要素の移動後、前記カニューレ開口から半径方向に拡張し、
前記切断要素が前記拡張位置にある状態での前記カニューレの回転が、前記切断要素を物質に衝突させ、その物質を標的領域から変位させる、物質除去器具。
（２３）  前記切断要素が、可撓性ブレードを備える、実施態様２２に記載の物質除去器具。
（２４）  前記内側要素を、前記カニューレに対して回転させることができ、前記切断要素を回転させ、前記内側要素の縦軸の周囲で渦巻き状の切断表面を形成する、実施態様２２に記載の物質除去器具。
【図１Ａ】
0006509801.tif 000002
【図１Ｂ】
0006509801.tif 000003
【図１Ｃ】
0006509801.tif 000004
【図１Ｄ】
0006509801.tif 000005
【図１Ｅ】
0006509801.tif 000006
【図１Ｆ】
0006509801.tif 000007
【図１Ｇ】
0006509801.tif 000008
【図１Ｈ】
0006509801.tif 000009
【図２Ａ】
0006509801.tif 000010
【図２Ｂ】
0006509801.tif 000011
【図３】
0006509801.tif 000012
【図４】
0006509801.tif 000013
【図５】
0006509801.tif 000014
【図６Ａ】
0006509801.tif 000015
【図６Ｂ】
0006509801.tif 000016
【図６Ｃ】
0006509801.tif 000017
【図７Ａ】
0006509801.tif 000018
【図７Ｂ】
0006509801.tif 000019
【図８】
0006509801.tif 000020
【図９】
0006509801.tif 000021
【図１０】
0006509801.tif 000022
【図１１Ａ】
0006509801.tif 000023
【図１１Ｂ】
0006509801.tif 000024
【図１２Ａ】
0006509801.tif 000025
【図１２Ｂ】
0006509801.tif 000026
【図１２Ｃ】
0006509801.tif 000027
【図１２Ｄ】
0006509801.tif 000028
【図１３Ａ】
0006509801.tif 000029
【図１３Ｂ】
0006509801.tif 000030
【図１３Ｃ】
0006509801.tif 000031
【図１３Ｄ】
0006509801.tif 000032
【図１３Ｅ】
0006509801.tif 000033
【図１３Ｆ】
0006509801.tif 000034
【図１４Ａ】
0006509801.tif 000035
【図１４Ｂ】
0006509801.tif 000036
【図１４Ｃ】
0006509801.tif 000037
【図１４Ｄ】
0006509801.tif 000038
【図１５Ａ】
0006509801.tif 000039
【図１５Ｂ】
0006509801.tif 000040
【図１５Ｃ】
0006509801.tif 000041
【図１５Ｄ】
0006509801.tif 000042
【図１５Ｅ】
0006509801.tif 000043
【図１５Ｆ】
0006509801.tif 000044
【図１６Ａ】
0006509801.tif 000045
【図１６Ｂ】
0006509801.tif 000046
【図１６Ｃ】
0006509801.tif 000047
【図１７Ａ】
0006509801.tif 000048
【図１７Ｂ】
0006509801.tif 000049
【図１７Ｃ】
0006509801.tif 000050
【図１７Ｄ】
0006509801.tif 000051
【図１７Ｅ】
0006509801.tif 000052
【図１７Ｆ】
0006509801.tif 000053
【図１７Ｇ】
0006509801.tif 000054
【図１８Ａ】
0006509801.tif 000055
【図１８Ｂ】
0006509801.tif 000056
【図１８Ｃ】
0006509801.tif 000057
【図１８Ｄ】
0006509801.tif 000058